(57)【要約】【課題】  どの位置に取り付けたり、吊り下げたとしても、映像位置を上下方向で容易に変更することができる映写用リアスクリーンを提供する点にある。【解決手段】  軟質合成樹脂にて構成された透明なシート状部材４の一端を巻き取り自在な回転体に連結し、前記回転体に一端が連結されたシート状部材４の他端に映写装置からの映像を裏面から透過して表面に映し出すためのシート状の可撓性を有するリアスクリーン１の一端を連結し、前記回転体に巻き取られたスクリーン１及びシート状部材４を下方へ繰り出すときの繰り出し位置を変更可能に構成した。【選択図】        図１
2006133462.tif 000002
【特許請求の範囲】
【請求項１】
軟質合成樹脂にて構成された透明なシート状部材の一端を巻き取り自在な回転体に連結し、前記回転体に一端が連結されたシート状部材の他端に映写装置からの映像を裏面から透過して表面に映し出すためのシート状の可撓性を有するリアスクリーンの一端を連結し、前記回転体に巻き取られたスクリーン及びシート状部材を下方へ繰り出すときの繰り出し位置を変更可能に構成してなる映写用リアスクリーン。
【請求項２】
前記回転体を収納するケーシングを設け、このケーシングの下端面に回転体に巻き取られたスクリーン及びシート状部材を下方へ引き出し可能となる開口部を備えさせ、前記ケーシングに壁又は天井等の固定部材に固定するための取付部材を備えさせてなる請求項１記載の映写用リアスクリーン。
【請求項３】
前記ケーシングを取付部材を介して固定部材に固定した状態において、前記下方へ引き出されたスクリーンの下端が床面に接当するように前記シート部材の上下長さを設定してなる請求項２記載の映写用リアスクリーン。
【請求項４】
前記取付部材を前記ケーシングに対して位置変更自在に構成してなる請求項２又は３に記載の映写用リアスクリーン。
【請求項５】
前記シート状部材に多数の通気孔を形成してなる請求項１〜４のいずれかに記載の映写用リアスクリーン。
【請求項６】
請求項１〜５の映写用リアスクリーンを、２つの部屋の間を仕切る仕切部材として用い、前記２つの部屋の一方を前記映写用リアスクリーンの裏面に映像を照射するための映写装置を配置し、残る他方の部屋を前記映写用リアスクリーンの裏面から表面に透過して映し出される映像を鑑賞するための鑑賞の部屋に構成してなる映像鑑賞室構造。
【発明の詳細な説明】
【技術分野】
【０００１】
本発明は、壁や天井などに固定し、不要時には、リアスクリーンを回転体に巻き取った格納状態にし、使用時には、回転体を回転させて巻き取られたリアスクリーンを下方へ引き出すことによりプロジェクター等の映写装置からの映像を裏面から表面に映し出すことができるように構成した映写用リアスクリーン及びそれを用いた映像鑑賞室構造に関する。
【背景技術】
【０００２】
上記映写用リアスクリーンは、壁や天井等に固定される巻取軸に一端が巻き取り可能に取り付けられた誘導シートの他端に可撓性シートからなる背面透過型スクリーンの一端を連結し、前記巻取軸に誘導シートを巻き取る方向へ付勢するための巻取スプリングを装着し、背面透過型スクリーンの他端に錘り軸棒を取り付けている。従って、スクリーンの使用時には背面透過型スクリーンを下方へ引き出し、錘り軸棒の重量と巻取スプリングの付勢力とが釣り合うことによりその上下位置に該スクリーンを位置保持させて、プロジェクター等の映写装置からの映像を該スクリーンに後方側から当てて透過させることにより、スクリーンの前方から映像を見ることができるようにしている（例えば、特許文献１参照）。
【特許文献１】国際公開第０２／５６１１２号パンフレット（図１３参照）
【発明の開示】
【発明が解決しようとする課題】
【０００３】
上記特許文献１のように、壁や天井に固定したり、天井から吊り下げて使用する映写用リアスクリーンでは、誘導シートをスクリーンに連結していることから、下方へ引き出して使用状態となるスクリーンの位置を誘導シートの長さ分だけ上下方向で多少変更することができるものの、スクリーンの上下位置を大きく変更することができない構成であるため、映写用リアスクリーン自体の取付位置や吊り下げ位置を変更しなければならず、手間のかかる煩わしいものであった。因みに、場所によっては壁に映写用リアスクリーンを取り付けることができない場合があり、この場合、高い天井に取り付けて使用することになり、見たい高さにスクリーンを配置することができず、改善の余地があった。
【０００４】
本発明が前述の状況に鑑み、解決しようとするところは、どの位置に取り付けたり、吊り下げたとしても、映像位置を上下方向で容易に変更することができる映写用リアスクリーンを提供する点にある。
【課題を解決するための手段】
【０００５】
本発明は、前述の課題解決のために、軟質合成樹脂にて構成された透明なシート状部材の一端を巻き取り自在な回転体に連結し、前記回転体に一端が連結されたシート状部材の他端に映写装置からの映像を裏面から透過して表面に映し出すためのシート状の可撓性を有するリアスクリーンの一端を連結し、前記回転体に巻き取られたスクリーン及びシート状部材を下方へ繰り出すときの繰り出し位置を変更可能に構成して、映写用リアスクリーンを構成した。
上記のようにシート状部材にスクリーンを連結することによって、スクリーンを繰り出して下方のどの位置へも下げることが可能になる。しかも、シート状部材を透明なものから構成することによって、夜間の使用や暗い場所での使用において透明なシート状部材を介してスクリーンが宙に浮いている状態に見せることができる。尚、スクリーンの厚み及びシート状部材の厚みは、０．０７５ｍｍ〜０．４ｍｍの範囲の厚みに設定することが好ましく、このように薄いスクリーン及びシート状部材を回転体に巻き取ったとしても、スクリーンだけ巻き取る場合に比べて、極端に太くなることがない。又、例えばスクリーンの厚みに比べてシート状部材の厚みを薄くした場合には、前記回転体に巻き取った状態の太さをできるだけ小さく抑えることができ、又、それとは逆にスクリーンの厚みに比べてシート状部材の厚みを厚くした場合には、シート状部材に皺が発生し難くすることができる利点があり、シート状部材の長さなどに応じて設定することになる。
【０００６】
前記回転体を収納するケーシングを設け、このケーシングの下端面に回転体に巻き取られたスクリーン及びシート状部材を下方へ引き出し可能となる開口部を備えさせ、前記ケーシングに壁又は天井等の固定部材に固定するための取付部材を備えさせてもよい。
【０００７】
前記ケーシングを取付部材を介して固定部材に固定した状態において、前記下方へ引き出されたスクリーンの下端が床面に接当するように前記シート部材の上下長さを設定してもよい。
【０００８】
前記取付部材を前記ケーシングに対して位置変更自在に構成してもよい。
【０００９】
前記シート状部材に多数の通気孔を形成してもよい。
【００１０】
請求項１〜５の映写用リアスクリーンを、２つの部屋の間を仕切る仕切部材として用い、前記２つの部屋の一方を前記映写用リアスクリーンの裏面に映像を照射するための映写装置を配置し、残る他方の部屋を前記映写用リアスクリーンの裏面から表面に透過して映し出される映像を鑑賞するための鑑賞の部屋として構成することもできる。
【発明の効果】
【００１１】
シート状部材にスクリーンを連結することによって、スクリーンを繰り出して下方のどの位置へも下げることが可能になり、天井などの高いところへ取り付けたり吊り下げている場合でも下方の見やすい位置までスクリーンを下げることができ、取り付け位置や吊り下げ位置を変更することが不要になり、取扱面及び使用面において有利になる。しかも、シート状部材を透明なものから構成することによって、夜間の使用や暗い場所での使用において透明なシート状部材を介してスクリーンが宙に浮いている状態に見せることができ、意匠感を高めて商品価値の高い商品にすることができる。特に、シート状部材の上下寸法をスクリーンの上下寸法よりも長く設定した場合でも、それらの厚みを最大でも０．４ｍｍに抑えることによって、それらを回転体に巻き取った状態において極端に太くなることがなく、映写用スクリーン全体が大型化することを回避することができる。
【００１２】
回転体を収納するケーシングを設け、このケーシングの下端面に回転体に巻き取られたスクリーン及びシート状部材を下方へ引き出し可能となる開口部を備えさせ、ケーシングに壁又は天井等の固定部材に固定するための取付部材を備えさせることによって、固定部材に取付部材を介してケーシングを迅速に固定することができる。
【００１３】
ケーシングを取付部材を介して固定部材に固定した状態において、下方へ引き出されたスクリーンの下端が床面に接当するようにシート部材の上下長さを設定しておけば、天井から床面まで映写用リアスクリーンのシート部材及びスクリーンにて仕切ることができる仕切部材として利用することができる。
【００１４】
取付部材をケーシングに対して位置変更自在に構成することによって、例えば天井においてはチャンネル部材の間隔に合わせて取付部材を位置させることができ、取り付けができない位置でも取り付けが可能となり、どのような位置でも取り付けができる利点がある。
【００１５】
シート状部材に多数の通気孔を形成することによって、空調機からの風を多数の通気孔を通過させることで、空調機からの風を受けてスクリーンが大きく揺れることを回避することができる。
【００１６】
請求項１〜５の映写用リアスクリーンを、２つの部屋の間を仕切る仕切部材として用い、２つの部屋の一方を映写用リアスクリーンの裏面に映像を照射するための映写装置を配置することによって、残る他方の部屋を映写用リアスクリーンの裏面から表面に透過して映し出される映像を鑑賞するための鑑賞の部屋として構成することができ、前記構成の映写用リアスクリーンを用いるだけで、部屋そのものに特別な改造を加えることなく、鑑賞の部屋を容易迅速に構成することができる。
【発明を実施するための最良の形態】
【００１７】
図１に、プロジェクターＰ（図４で示す）等の映写装置からの映像を裏面から透過して表面に映し出すためのシート状の可撓性を有するスクリーン１を備えた映写用リアスクリーン（映写用背面スクリーンとも言う）２を示している。この映写用リアスクリーン２は、下端面に開口部（図示せず）が形成されたケーシング３内に、電動モータにて駆動回転自在な円筒状の回転体（図示せず）を設け、この回転体に軟質合成樹脂（例えばＰＥＴ（ポリエチレンテレフタレート）フィルムでもよいし、他の材料のものであってもよい）にて構成された透明なシート状部材４（前記スクリーン１の上下寸法よりも長い上下寸法に設定されているが、ほぼ同一の上下寸法であってもよいし、場合によってはスクリーン１の上下長さよりも短い上下寸法に設定してもよい）の一端を連結し、このシート状部材４の他端に前記スクリーン１の一端を連結している。従って、リモコンなどの遠隔操作具（無線が好ましいが、有線であってもよい）を利用して回転体を駆動回転させるための電動モータ（図示せず）を駆動することによって、シート状部材４及びスクリーン１を回転体に巻き取った収納状態と、ケーシング３の開口部から下方へ繰り出してスクリーン１の表面に映像を映し出すことができる使用状態とに切り替えることができるように構成している。前記スクリーン１の他端（下端）に錘り兼用のバーを備えさせてある。又、前記ケーシング３の左右両端に、壁や天井等の固定部材に固定するための左右一対の取付部材（ブラケット）６，６を取り付けている。前記シート状部材４の下端の表面と前記スクリーン１の上端の裏面とを両面に接着剤を備える両面テープを用いて連結する他、接着剤にて直接連結する、あるいは場合によっては熱溶着などにより連結してもよい。前記スクリーン１は、例えばＰＥＴ（ポリエチレンテレフタレート）に拡散粒子を練り込んでＰＥＴフィルムにしたものから構成したり、特殊フィルムからなるホログラムシート（回転体に巻き付けることができる可撓性を有するもの）から構成してもよく、スクリーン１の具体的構成は、変更可能である。そして、スクリーン１の厚み及びシート状部材４の厚みを、ほぼ０．１ｍｍとしているが、０．０７５ｍｍ〜０．４ｍｍの範囲の厚みに設定することが好ましい。又、スクリーン１の厚みとシート状部材４の厚みを同一にする他、どちらか一方を厚くして実施することもできる。
【００１８】
前記のように特にスクリーン１よりも上下寸法の長いシート状部材４を備えさせることによって、スクリーン１の上下位置を変更することができ、例えば、図２〜図４に示すように、２つの部屋Ａ，Ｂの境に形成される通路を形成するための開口７を仕切るための仕切部材として映写用リアスクリーン２を用いてもよい。このように映写用リアスクリーン２を仕切部材として用いることによって、一方の部屋Ａを暗室にして他方の隣の部屋Ｂを明室にして映像を鑑賞する場合に、他方の部屋Ｂからの光が一方の部屋Ａへ入り込むことをできる限り遮断することによって（透明なシート状部材４から入り込む光及び開口７と映写用リアスクリーン２との間に発生する隙間から入り込む光を遮断できないが、それら光は問題にならない程度の光量である）、映写用リアスクリーン２の裏面に一方の部屋Ａを配置したプロジェクター（映写装置）Ｐからの映像を効率よく照射することができ、特別な改造を部屋Ａ，Ｂに加えることなく、透過した映像を鑑賞するための鑑賞の部屋として他方の部屋Ｂを容易迅速に構成することができる。又、鑑賞部屋として使用しない場合、つまり通路を開放状態にしておきたい場合には、シート状部材４及びスクリーン１を巻き上げてケーシング３内に収納しておけばよい。図２及び図３ではスクリーン１の下端のバー５と床面Ｆとの間に隙間がある状態にスクリーン１を位置させているが、バー５が床面Ｆに接触する状態までスクリーン１を下降させて使用することもできる。従って、前記ケーシング３を天井又は天井に近い位置に取り付けた状態においてスクリーン１の下端のバー５が床面Ｆに接触する位置まで下降させることができるようにシート状部材４の上下長さを設定することが好ましいが、スクリーン１の下端のバー５と床面Ｆとの間に多少の隙間が発生する長さに設定しても構わない。
【００１９】
図２〜図４では、映写用リアスクリーン２を仕切部材として利用した場合を示したが、図５に、天井面Ｔに、映写用リアスクリーン２を取り付けた場合を示している。この場合には、スクリーン１を天井面Ｔに近づけて配置する（シート状部材４を図１で示したものよりも短くする）ことによって、特に夜間や暗い場所（図にてドットを付けている）でスクリーン１に映像を映し出すことによって、スクリーン１を宙に浮いた状態に見せることができる。尚、図４では、映像を映し出す部屋Ｂを暗室（ドットにて示している）にすることによって、映像を鮮明にすることができる利点があるが、必ずしも暗室にしなくてもよい。
【００２０】
又、前記スクリーン１を電動力を用いて繰り出したり巻き取るようにしているが、手動力により繰り出したり、巻き取ることができるようにしてもよい。この場合、図５に示すように、バー５の左右方向ほぼ中央に取り付けられた取っ手８の孔８Ａに透明な（必ずしも透明でなくてもよい）釣り糸（紐などでもよい）９の一端を括りつけておけば、その釣り糸９を引っ張ることによって、手動力にてスクリーン１を引っ張り操作することができるようになっている。尚、この場合のスクリーン１は、釣り糸９を引っ張って手を離すことにより、任意の上下位置でスクリーン１を保持することができるストッパー機構を備えてあり、又、任意の位置で保持されたスクリーン１を巻き取る場合には、釣り糸９を下方へ少し引き下げて手を離すことにより、スクリーン１を巻き取ることができるように構成している。
【００２１】
前記取付部材６，６を、図５に示すように、ケーシング３に対して位置変更可能に構成してもよい。つまり、ケーシング３の背面に取付部材６，６を左右方向にスライド自在に保持するためのレール部３Ａを備えさせて、ケーシング３に対して取付部材６，６を任意の左右位置にスライドさせることができるように構成して、取り付けることができない箇所でも取り付けが可能となるように取付部材６，６を位置変更することができるようにしている。
【００２２】
図６に示すように、前記シート状部材４に多数の通気孔４Ａを形成してもよい。これら通気孔４Ａを形成することによって、空調機からの風を多数の通気孔４Ａを通過させることで、空調機からの風を下方に引き出されて長くなったシート状部材４が受けてスクリーン１が大きく揺れることを回避することができる利点がある。
【図面の簡単な説明】
【００２３】
【図１】スクリーンを繰り出した使用状態を示す映写用リアスクリーンの斜視図である。
【図２】スクリーンを２つの部屋の通路に配置した状態を示す映写用リアスクリーンの正面図である。
【図３】スクリーンを２つの部屋の通路に配置した状態を示す映写用リアスクリーンの斜視図である。
【図４】スクリーンを２つの部屋の通路に配置した状態を示す映写用リアスクリーンの平面図である。
【図５】スクリーンの繰り出し位置を変更した別の映写用リアスクリーンの斜視図である。
【図６】シート状部材に通気孔が形成された別の映写用リアスクリーンの斜視図である。
【符号の説明】
【００２４】
１  スクリーン
２  映写用リアスクリーン
３  ケーシング
３Ａ  レール部
４  シート状部材
４Ａ  通気孔
５  バー
６  取付部材
７  開口
８Ａ  孔
８  取っ手
９  釣り糸
Ａ，Ｂ  部屋
Ｆ  床面
Ｐ  プロジェクター
Ｔ  天井面
【図１】
2006133462.tif 000003
【図２】
2006133462.tif 000004
【図３】
2006133462.tif 000005
【図４】
2006133462.tif 000006
【図５】
2006133462.tif 000007
【図６】
2006133462.tif 000008